(57)【要約】 【課題】  任意の順番で物品の払い出しを行うことが出来る物品払出機構を提供する。【解決手段】  解除機構２０が、景品保持具１３Ａの移動経路内に進退自在に設けられて景品保持具１３Ａの移動経路内に進入したときに景品保持具１３Ａの移動に伴ってこの景品保持具１３Ａの景品Ｇを保持しているフック１３Ａｃに係合することによりフック１３Ａｃを回動させて景品Ｇの保持状態を解除する解除用シャフト２０Ａと、この解除用シャフト２０Ａを景品保持具１３Ａの移動経路内に進入する方向および移動経路内から待避する方向に動作させるソレノイド２０Ｃとを備えている。【選択図】      図１１
2005160760.tif 000002
【特許請求の範囲】
【請求項１】
保持部材によって吊り下げられて列状に配列された複数個の物品を保持部材とともに列方向に移動させて、予め設定されている払出位置に物品が移動されてきたときに解除機構によって保持部材による物品の保持状態を解除してその物品の払い出しを行う物品払出機構において、
前記解除機構が、保持部材の移動経路内に進退自在に設けられて保持部材の移動経路内に進入したときに保持部材の移動に伴ってこの保持部材の物品を保持している部分または保持部材に保持されている物品に係合することにより保持部材による物品の保持状態を解除する係合部材と、この係合部材を保持部材の移動経路内に進入する方向および移動経路内から退避する方向に動作させる作動部材とを備えていることを特徴とする物品払出機構。
【請求項２】
前記係合部材が、保持部材の移動経路に向かって突出自在に支持されて先端部が保持部材の物品を保持している部分または保持部材に保持されている物品に係合するシャフト部材であり、前記作動部材が、シャフト部材を、その先端部が保持部材の移動経路内に進入する位置と移動経路内から退避する位置との間で軸方向にスライドさせる請求項１に記載の物品払出機構。
【請求項３】
前記作動部材が、シャフト部材にリンクを介して連結されたソレノイドである請求項２に記載の物品払出機構。
【請求項４】
前記係合部材が、保持部材の移動経路内に進入した際に、保持部材に揺動自在に取り付けられた物品吊り下げ用のフック部材に係合してこのフック部材を回動させることによって物品の保持状態を解除する請求項１に記載の物品払出機構。
【請求項５】
前記係合部材が、保持部材の移動経路内に進入した際に、保持部材に取り付けられたフック部材に吊り下げられている物品に係合して、この物品をフック部材から離脱させることによりその物品の保持状態を解除する請求項１に記載の物品払出機構。
【請求項６】
前記解除機構が、保持部材の移動方向において係合部材の手前側に配置されて、物品を保持している保持部材または保持部材に保持されている物品を検出する検出部材をさらに備えている請求項１に記載の物品払出機構。
【請求項７】
前記検出部材が、保持部材の移動経路内に突出して保持部材の物品を保持している部分または保持部材に保持されている物品に接触される接触子によって保持部材に物品が保持されていることを検出するマイクロスイッチである請求項６に記載の物品払出機構。
【請求項８】
前記検出部材から保持部材に物品が保持されていることを検出した検出信号が入力されて、この検出信号の入力に基づいて作動部材に係合部材を動作させるための作動信号を出力するコントロール部材をさらに備えている請求項６に記載の物品払出機構。
【請求項９】
前記コントロール部材が、払い出しを行う物品を指定する指定信号を入力されて、検出部材から入力される検出信号の数を計数することによって、指定信号によって指定された物品を保持している保持部材が払出位置を通過する際に、作動部材に作動信号を出力する請求項８に記載の物品払出機構。
【発明の詳細な説明】
【技術分野】
【０００１】
この発明は、収納している各種物品を払い出す物品払出装置において、各種物品を吊り下げた状態で保持するとともに、その吊り下げた物品を個々に落下させることによって払い出すための機構に関する。
【背景技術】
【０００２】
図１は、一般的な物品払出装置である景品払出装置の形態を示す外観図である。
【０００３】
この図１の景品払出装置１は、本体ケーシング２の上部部分に景品収納スペース２Ａが形成され、下部部分に景品の払出部２Ｂが設けられている。
【０００４】
そして、この景品払出装置１の景品収納スペース２Ａ内に、物品払出機構である複数の景品払出機構３が二列四段に配置されて取り付けられており、この各景品払出機構３にそれぞれ各種景品Ｇが吊り下げられることによって保持されるようになっている。
【０００５】
図２は、従来の景品払出機構３の構成を示す平面図であり、図３はこの景品払出機構３の側面図である。
【０００６】
この図２および３において、景品Ｇを保持する円盤状の回転体３Ａが、支持アーム３Ｂの先端部に水平面内において回転自在に支持されており、駆動ベルト３Ｃを介して駆動駆動モータ３Ｄにより時計回り方向に回転されるようになっている。
【０００７】
回転体３Ａの外周部の等角度間隔位置には、それぞれの景品吊下部３Ａａが設けられていて、この景品吊下部３Ａａには、景品Ｇを吊り下げた状態で係脱自在に係止するフック３Ａａ１が取り付けられている。
【０００８】
この景品払出機構３には、図２において支持アーム３Ｂの先端部（図２において左側端部）の前方位置に景品の払出位置Ｐが設定されており、この払出位置Ｐに、景品吊下部３Ａａのフック３Ａａ１に吊り下げられた景品Ｇとフック３Ａａ１との係合を解除して景品Ｇを落下させる係合解除用アーム３Ｅａと３Ｅｂが、支持アーム３Ｂに固定されて取り付けられている。
【０００９】
上記景品払出機構３は、回転体３Ａが駆動ベルト３Ｃを介して駆動モータ３Ｄによりステップ回転されて、景品吊下部３Ａａが払出位置Ｐに移動されて来ると、この払出位置Ｐに取り付けられている係合解除用アーム３Ｅａと３Ｅｂが共働して、図４に示されるように、係合解除用アーム３Ｅｂが払出位置Ｐに移動されてきた景品吊下部３Ａａのフック３Ａａ１を閉じている開閉部３Ａａ２に係合して、この開閉部３Ａａ２を回動させることによりフック３Ａａ１を開くとともに、フック３Ａａ１に吊り下げられている景品Ｇに係合解除用アーム３Ｅａが係合して、景品Ｇをフック３Ａａ１から離脱させて落下させる。
【００１０】
このようにして、図１に示されるように景品払出機構３に吊り下げられることによって景品払出装置１の景品収納スペース２Ａ内に収納されていた景品Ｇは、景品払出機構３から景品払出部２Ｂに落下されて、この景品払出部２Ｂに設けられた景品取出口２Ｂａ（図１参照）から取り出すことが出来るようになる（例えば、特許文献１参照）。
【００１１】
上記従来の景品払出機構３は、以下のような問題点を有している。
【００１２】
すなわち、上記従来の景品払出機構３の場合には、景品吊下部３Ａａに吊り下げられている景品Ｇは、回転体３Ａの回転に伴って払出位置Ｐを通過する際に係合解除用アーム３Ｅａと係合して、先頭の景品Ｇから順番に払い出されてゆくようになっているので、回転体３Ａに様々な種類の景品が吊り下げられている場合に、次に払い出されてくる景品がプレーヤが所望する景品ではないような場合には、プレーヤに満足感を与えることが出来ず、また、プレーヤは所望の景品を手に入れるためには何度も払い出しのための操作を行わなければならないために、このことが、売上の減少の原因になるといった問題が発生する。
【００１３】
【特許文献１】特許３０８１５６８号公報
【発明の開示】
【発明が解決しようとする課題】
【００１４】
この発明は、上記従来の物品払出機構における問題点を解決するためになされたものである。
【００１５】
すなわち、この発明は、任意の景品を払い出すことが出来る物品払出機構を提供することを目的としている。
【課題を解決するための手段】
【００１６】
この発明（請求項１に記載の発明）による物品払出機構は、保持部材によって吊り下げられて列状に配列された複数個の物品を保持部材とともに列方向に移動させて、予め設定されている払出位置に物品が移動されてきたときに解除機構によって保持部材による物品の保持状態を解除してその物品の払い出しを行う物品払出機構において、前記解除機構が、保持部材の移動経路内に進退自在に設けられて保持部材の移動経路内に進入したときに保持部材の移動に伴ってこの保持部材の物品を保持している部分または保持部材に保持されている物品に係合することにより保持部材による物品の保持状態を解除する係合部材と、この係合部材を保持部材の移動経路内に進入する方向および移動経路内から待避する方向に動作させる作動部材とを備えていることを特徴としている。
【００１７】
この発明による物品払出機構は、解除機構の保持部材の移動経路内に進退自在に設けられて保持部材の移動経路内から退避する位置に待機している係合部材が、作動部材によって動作されて保持部材の移動経路内に進入すると、物品を保持して移動されてくる保持部材の物品を保持している部分または保持部材に保持されている物品に係合する。
【００１８】
そして、この係合部材の係合の後、保持部材の移動に伴って、係合部材がこの保持部材の物品を保持している部分または保持部材に保持されている物品を付勢することにより、保持部材から離脱させて、その物品の保持状態を解除する。
【発明の効果】
【００１９】
この発明による物品払出機構によれば、保持部材による物品の解除を、保持部材の移動経路内に進退自在に設けられた係合部材によって行うようになっているので、作動部材によって任意に係合部材を動作させて保持部材による物品の解除を行うことが出来るようになり、これによって、配列順ではなく任意の順番で物品の払い出しを行うことが出来るようになる。
【００２０】
そして、係合部材を保持部材の移動経路内から退避させておくことにより、保持部材の逆方向への移動も可能になる。
【発明を実施するための最良の形態】
【００２１】
この発明による物品払出機構は、景品保持具がチェーン状に連結されて景品搬送チェーンが構成され、各景品保持具に景品が吊り下げられ、この景品搬送チェーンが搬送走行されることによって景品保持具にそれぞれ吊り下げられた景品が払出位置に移動され、この払出位置において、景品保持具の走行経路内に進退自在に設けられた解除機構の解除用シャフトの先端部がソレノイドの作動によって景品保持具の走行経路内に突出され、景品保持具の景品を吊り下げているフックに係合することによってこのフックが景品の解除方向に回動されて景品の払い出しを行う景品払出機構を、その最良の実施形態としているものである。
【００２２】
この実施形態における物品払出機構は、解除用シャフトがソレノイドの作動にとって任意のタイミングで景品保持具の走行経路内に突出されることにより、景品保持具に吊り下げられている順番ではなく、任意の順番での景品の払い出しを可能にする。
【実施例】
【００２３】
図５ないし７は、この発明による物品払出機構の実施形態における一実施例を示しており、図５はこの物品払出機構の平面図、図６は側面図、図７は正面図である。
【００２４】
この図５ないし７において、物品払出機構１０は、駆動プーリ１１と従動プーリ１２が、同じ水平面内において、それぞれの軸線が垂直向きに向けられるとともに互いに所要の間隔を開けて配置されている。
【００２５】
そして、この駆動プーリ１１および従動プーリ１２に、物品搬送チェーン１３が巻回されている。
【００２６】
これら駆動プーリ１１および従動プーリ１２，物品搬送チェーン１３は、図示しない物品払出装置の本体ケーシングに固定されるアーム１４によって支持されている。
【００２７】
すなわち、アーム１４は、その先端部が駆動プーリ１１の上方を従動プーリ１２との間の中間部分に対向する位置まで水平に延びており、このアーム１４の先端部の下面側に、支持プレート１５が水平向きに固定されている。
【００２８】
駆動プーリ１１は、この支持プレート１５の後側部分（図５および６の右側部分）の上面側に、アーム１４との間に位置するように配置されてアーム１４および１５によって、水平面内において回転自在に支持されている。
【００２９】
そして、この駆動プーリ１１の回転軸１１Ａが、アーム１４に支持されている駆動部１６の図示しない駆動モータに連結されることによって、駆動回転されるようになっている。
【００３０】
従動プーリ１２は、支持プレート１５の前側部分（図５および６の左側部分）の上面側に、回転軸１２Ａを中心に水平面内において回転自在に支持されている。
【００３１】
この駆動プーリ１１と従動プーリ１２の外周部には、物品搬送チェーン１３を駆動走行させるための凹部１１Ｂと１２Ｂが、それぞれ等角度間隔位置に複数個形成されている。
物品搬送チェーン１３は、図８ないし１０に示される物品保持具１３Ａがチェーン状に連結されることによって構成されている。
【００３２】
この図８は物品保持具１３Ａの表面図であり、図９は裏面図であり、図１０は物品搬送チェーン１３の後述する進行方向の前側（図８の左側）から見た正面図である。
【００３３】
この図８ないし１０において、物品保持具１３Ａの本体１３Ａａは、裏表方向の幅が小さく外形が縦長の略方形形状に成形されている。
【００３４】
そして、この本体１３Ａａの裏面側（図９に示されている側）の上端部に、水平方向に延びるとともに裏面側と正面側（図８において左側および図９において右側）が開放された第１溝部１３Ａａ１が形成され、この第１溝部１３Ａａ１は、正面側部分が表面側（図８に示されている側）にも開放されている。
【００３５】
さらに、この本体１３Ａａには、その後面側（図８において右側および図９において左側）の側部に、第１溝部１３Ａａ１に対向する位置においてこの本体１３Ａａから後方に突出する連結部１３Ａｂが本体１３Ａａと一体的に成形され、この連結部１３Ａｂに、上下方向に貫通する連結孔１３Ａｂ１が形成されている。
【００３６】
本体１３Ａａの上部部分には、その裏面側で第１溝部１３Ａａ１の直ぐ下方位置に、水平方向に延びるとともに裏面側と正面側，後面側の三方が開放された第２溝部１３Ａａ２が形成されている。
【００３７】
本体１３Ａａの下部部分には、この本体１３Ａａの内部において表面および裏面に対して平行に広がるとともに、本体１３Ａａの正面および下面，第２溝部１３Ａａ２内に開口部を有する第１スリット部１３Ａａ３が形成されている。
【００３８】
さらに、本体１３Ａａの下部部分の第１スリット部１３Ａａ３を挟んだ表壁面と裏壁面の幅方向において中央よりも後方部分に、それぞれ、下端側から上方に垂直に切れ込む第２スリット部１３Ａａ４が形成されている。
【００３９】
この第１スリット部１３Ａａ３内に、後述するような形状を有するフック１３Ａｃが、第２スリット部１３Ａａ４の上部前方位置において本体１３Ａａに対して裏表方向に延びるように取り付けられた支軸１３Ａｄにより、その上端部分を軸支されることによって、本体１３Ａａの表壁面および裏壁面と平行な平面内において揺動自在に取り付けられている。
【００４０】
このフック１３Ａｃは、支軸１３Ａｄに支持されている部分から下方方向に直線的に延びるアーム部１３Ａｃ１と、このアーム部１３Ａｃ１の下端部から後方側（図８において右側）に先端部が上向きになるように湾曲するフック部１３Ａｃ２と、アーム部１３Ａｃ１の上端部の支軸１３Ａｄに軸支されているから上方に延びるとともに後方側に所要の角度で傾斜するレバー部１３Ａｃ３によって一体的に構成されている。
【００４１】
そして、このフック１３Ａｃと本体１３Ａａとの間には、ばね１３Ａｅが介装されており、このばね１３Ａｅによって、フック１３Ａｃのレバー部１３Ａｃ３が後方方向（図８において反時計回り方向）に付勢されるようになっている。
【００４２】
このばね１３Ａｅは、その巻線部分の中心が支軸１３Ａｄによって嵌挿され、そして、一端部が本体１３Ａａに係合され、他端部がフック１３Ａｃのアーム部１３Ａｃ１の下端部分に係合された状態でフック１３Ａｃと本体１３Ａａとの間に介装されて、フック１３Ａｃを図８において反時計回り方向に付勢している。
【００４３】
本体１３Ａａには、さらに、後述するような形状を有する揺動レバー１３Ａｆが、本体１３Ａａから吊り下げられた状態で揺動自在に取り付けられている。
【００４４】
すなわち、この揺動レバー１３Ａｆは、図１０から分かるように、正面方向から見た形状が上向きの略コの字形状となるように成形されており、本体１３Ａａがこの揺動レバー１３Ａｆの両側の二本のアーム部１３Ａｆ１，１３Ａｆ２の間に上方から遊嵌され、アーム部１３Ａｆ１，１３Ａｆ２の上端部が、それぞれ、本体１３Ａａの表壁面と裏壁面の支軸１３Ａｄの直ぐ下方位置に枢支されることによって、本体１３Ａａに対して揺動自在に吊り下げられている。
【００４５】
そして、このアーム部１３Ａｆ１，１３Ａｆ２の上端部の本体１３Ａａに対する枢支位置よりも内側部分において、アーム部１３Ａｆ１と１３Ａｆ２間に懸架されたバー１３Ａｆ３が、本体１３Ａａの第２スリット部１３Ａａ４内に挿通され、これによって、このバー１３Ａｆ３が、第２スリット部１３Ａａ４の上端縁に当接される位置と前側側縁に当接される位置との間で、揺動レバー１３Ａｆの本体１３Ａａに対する揺動を規制するようになっている。
【００４６】
アーム部１３Ａｆ１，１３Ａｆ２は、バー１３Ａｆ３の形成位置から下方部分が、本体１３Ａａの前方側に向かって先端部が上向きに湾曲する形状に成形されており、その先端部の両側に、それぞれ、本体１３Ａａの表方向および裏方向に張り出す翼部分１３Ａｆ４が一体的に形成されている。
【００４７】
さらに、本体１３Ａａの裏面側に位置されるアーム部１３Ａｆ１のほぼバー１３Ａｆ３が形成されている位置の外側部分に、突起部１３Ａｆ５が一体的に形成されている。
【００４８】
この物品保持具１３Ａは、図５から分かるように、本体１３Ａａに一体的に形成されている連結部１３Ａｂが、他の物品保持具１３Ａの本体１３Ａａに形成されている第１溝部１３Ａａ１の正面側部分に嵌合されて、この連結部１３Ａｂの連結孔１３Ａｂ１内に、他の物品保持具１３Ａの本体１３Ａａに第１溝部１３Ａａ１の正面側部分を上下方向に貫通するように嵌挿される連結ピン１３Ａｇが挿通されることによって、隣り合う二つの物品保持具１３Ａが水平面内において互いに揺動自在に連結される。
【００４９】
このようにして、複数の物品保持具１３Ａが互いにチェーン状に連結されることによって、環状の物品搬送チェーン１３が構成される。
【００５０】
そして、この物品搬送チェーン１３は、隣接する物品保持具１３Ａの本体１３Ａａ間に位置する連結部１３Ａｂが、駆動プーリ１１の外周部の等角度間隔位置に形成された凹部１１Ｂと従動プーリ１２の外周部の等角度間隔位置に形成された凹部１２Ｂに嵌合された状態で、駆動プーリ１１と従動プーリ１２間に巻回されていて、この駆動プーリ１１の凹部１１Ｂおよび従動プーリ１２の凹部１２Ｂと物品保持具１３Ａの連結部１３Ａｂとの嵌合によって、物品搬送チェーン１３が駆動プーリ１１の駆動回転によって、その搬送方向（この例では図５において時計回り方向）に走行されるようになっている。
【００５１】
物品払出機構１０には、景品払出機構１０の最先端位置（図５において左側の先端位置）に払出位置Ｐ１が設定され、支持プレート１５の下面の払出位置Ｐ１の景品搬送チェーン１３の走行方向において手前側位置に、図１１に示されるような解除機構２０が取り付けられている。
【００５２】
なお、この図１１は、支持プレート１５に取り付けられた解除機構２０を下方から見た状態を示している。
【００５３】
この解除機構２０は、物品搬送チェーン１３の各物品保持具１３Ａの第２溝部１３Ａａ２と同一高さ位置において水平方向に延びる解除用シャフト２０Ａが、従動プーリ１２の径方向と平行に配置されて、支持プレート１５の下面に固定されるフランジ２１によって軸方向にスライド自在に支持されている。
【００５４】
この解除用シャフト２０Ａの後端部には、中央部を支持プレート１５の下面に回動自在に軸支されたリンク２０Ｂの一端部が回動自在に連結され、このリンク２０Ｂの他端部には、支持プレート１５の下面に軸方向が解除用シャフト２０Ａと平行になるように取り付けられたソレノイド２０Ｃのプランジャ２０Ｃａの先端部が、回動自在に連結されている。
【００５５】
このソレノイド２０Ｃの本体とプランジャ２０Ｃａの先端部との間には、圧縮スプリング２０Ｃｂがその中心部をプランジャ２０Ｃａに挿通された状態で介装されており、この圧縮スプリング２０Ｃｂによってプランジャ２０Ｃａが突出方向に付勢されている。
【００５６】
そして、このソレノイド２０Ｃの非作動時には、図１１に図示のように、プランジャ２０Ｃａが圧縮スプリング２０Ｃｂによって付勢されて突出位置に位置されることにより、リンク２０Ｂを介して、解除用シャフト２０Ａがフランジ２１に対して後退位置に位置される。
【００５７】
ソレノイド２０Ｃの作動時には、図１２に示されるように、プランジャ２０Ｃａが圧縮スプリング２０Ｃｂの付勢力に抗してソレノイド２０Ｃの本体内に引き込まれる後退位置に位置されることにより、リンク２０Ｂを介して、解除用シャフト２０Ａがフランジ２１に対して前進位置に位置される。
【００５８】
このとき、この前進位置に位置された解除用シャフト２０Ａの先端部は、払出位置Ｐ１から物品搬送チェーン１３の走行方向において所要の角度だけ後方側（従動プーリ１２の反時計回り方向側）の位置に向かって延びて、この位置に位置している物品保持具１３Ａの第２溝部１３Ａａ２内に位置されるようになっている。
【００５９】
さらに、この解除機構２０には、マイクロスイッチ２０Ｄが、ソレノイド２０Ｃの側方位置に位置するように支持プレート１５の下面に取り付けられている。
【００６０】
このマイクロスイッチ２０Ｄのスイッチ本体から接触子２０Ｄａが、景品搬送チェーン１３の走行方向において解除用シャフト２０Ａよりも手前側位置において従動プーリ１２の径方向とほぼ並行に外方に向けて延びるように配置されている。
【００６１】
そして、この接触子２０Ｄａの先端部が、景品搬送チェーン１３の景品保持具１３Ａの内側の側面に近接するとともに、後述するように、景品保持具１３Ａに景品Ｇが吊り下げられて揺動レバー１３Ａｆの先端部が景品Ｇに当接されている時の突起部１３Ａｆ５の高さと同じ位置に位置して、景品保持具１３Ａの移動に伴って景品Ｇの保持状態にある揺動レバー１３Ａｆの突起部１３Ａｆ５と係合するように配置されている。
【００６２】
この接触子２０Ｄａは、支持プレート１５の下面に固定されたフランジ２２に形成されている図示しない長孔に挿通されることによって、水平方向に揺動自在に支持されている。
【００６３】
この解除機構２０のソレノイド２０Ｃおよびマイクロスイッチ２０Ｄは、コントローラＣに接続されていて、このコントローラＣは、マイクロスイッチ２０Ｄから入力される後述するような景品保持具１３Ａの検出信号とプレーヤの操作に基づく景品の指定信号に基づいて、ソレノイド２０Ｃに作動信号を出力するようになっている。
【００６４】
上記の構成を有する物品払出機構１０は、例えば図１において説明したような景品払出装置の景品収納スペース内に水平に設置されて使用される。
【００６５】
次に、上記物品払出機構１０への物品の装着方法およびこの物品払出機構１０の作動について、説明を行う。
【００６６】
物品払出装置に取り付けられた物品払出機構１０の物品搬送チェーン１３への物品の装着は、以下のような手順で行われる。
【００６７】
すなわち、物品搬送チェーン１３への物品の装着は、各物品保持具１３Ａごとに行われ、先ず、図１３に示されるように、物品保持具１３Ａの揺動レバー１３Ａｆが持ち上げられてこの図１３において反時計回り方向に回動されることにより、この揺動レバー１３Ａｆの先端部が、本体１３Ａａの第２スリット部１３Ａａ４の下側開口部に対向する位置から移動される。
【００６８】
この後、物品Ｇ１に設けられた吊下用係合部Ｇ１ａが、物品保持具１３Ａの下方から第２スリット部１３Ａａ４内に、フック１３Ａｃのフック部１３Ａｃ２の先端部と第２スリット部１３Ａａ４の後方側内側部との間を押し広げながら、挿入される。
【００６９】
そして、図１４に示されるように、物品Ｇ１の吊下用係合部Ｇ１が物品保持具１３Ａの第２スリット部１３Ａａ４の所要の位置まで挿入されると、この物品Ｇ１の吊下用係合部Ｇ１ａに形成されている吊下用穴Ｇ１ａ１内にフック１３Ａｃのフック部１３Ａｃ２が挿通されて、この物品の吊下用係合部Ｇ１がフック１３Ａｃに係止される。
【００７０】
このようにして、物品搬送チェーン１３の各物品保持具１３Ａに、物品Ｇ１が一個ずつ吊り下げられる。
【００７１】
このとき、景品保持具１３Ａの揺動レバー１３Ａｆの突起部１３Ａｆ５は、図８と図１４を比較して分かるように、フック１３Ａｃによって吊り下げられている景品Ｇに揺動レバー１３Ａｆの先端部が当接されてこの景品Ｇを保持していることによって、突起部１３Ａｆ５が景品保持具１３Ａに景品Ｇが吊り下げられていない状態（図８の状態）よりも高い位置に位置される。
【００７２】
この後、物品払出装置の制御部による駆動制御によって、物品払出機構１０の駆動部１６が駆動されて、駆動プーリ１１がステップ回転されることにより、物品搬送チェーン１３の各物品保持具１３Ａが、順次、物品払出機構１０の最先端位置に設定された払出位置Ｐ１の方向に移動されるように走行される。
【００７３】
そして、景品保持具１３Ａが払出位置Ｐ１に到達する直前に、この払出位置Ｐ１の手前側に配置されているマイクロスイッチ２０Ｄの接触子２０Ｄａが、景品Ｇの保持位置に位置している揺動レバー１３Ａｆの突起部１３Ａｆ５と係合する（図１４参照）ことによって、このマイクロスイッチ２０ＤからコントローラＣに景品Ｇを吊り下げている景品保持具１３Ａの検出信号が出力される。
【００７４】
コントローラＣは、このマイクロスイッチ２０Ｄから入力される検出信号に基づいて、ソレノイド２０Ｃに作動信号を出力する。
【００７５】
このマイクロスイッチ２０Ｄによる景品Ｇを吊り下げている景品保持具１３Ａの検出信号に基づくコントローラＣによるソレノイド２０Ｃの作動制御については、後で詳述する。
【００７６】
ソレノイド２０Ｃは、コントローラＣから入力される作動信号によって作動して、そのプランジャ２０Ｃａが圧縮スプリング２０Ｃｂの付勢力に抗して本体内に引き込まれ、これによって、リンク２０Ｂを介して解除用シャフト２０Ａが景品保持具１３Ａの走行経路内に向かって突出されて、その先端部が景品保持具１３Ａの第２溝部１３Ａａ２内に進入する。
【００７７】
そして、各物品保持具１３Ａが払出位置Ｐ１に向かってさらに搬送走行されると、物品保持具１３Ａの第２溝部１３Ａａ２内を相対的に移動する解除用シャフト２０Ａの先端部が、物品保持具１３Ａのフック１３Ａｃのレバー部１３Ａｃ３と係合して、図１５に示されるように、物品保持具１３Ａの移動に伴ってフック１３Ａｃのレバー部１３Ａｃ３を押し倒してゆく。
【００７８】
これによって、フック１３Ａｃが、ばね１３Ａｅの付勢力に抗して、時計回り方向に回動される。
【００７９】
そして、物品保持具１３Ａが払出位置Ｐ１の位置まで来ると、フック１３Ａｃのフック部１３Ａｃ２が本体１３Ａａの第２スリット部１３Ａａ４に対向する位置から後退されて、物品Ｇ１の吊下用係合部Ｇ１ａとの係合が解除される。
【００８０】
このようにして、各物品保持具１３Ａに吊り下げられた状態で保持されていた物品Ｇ１が、払出位置Ｐ１において物品搬送チェーン１３から落下されて、物品払出装置の下部に設けられた図示しない物品取り出し口からの取り出しが出来るようになる。
【００８１】
なお、物品保持具１３Ａが払出位置Ｐ１を通過した後、フック１３Ａｃのレバー部１３Ａｃ３と解除用シャフト２０Ａの先端部との係合状態が解除されることによって、フック１３Ａｃは、ばね１３Ａｅによって、図１５において反時計回り方向に付勢されて、もとの待機状態（図８に示される状態）に復帰する。
【００８２】
コントローラＣは、以下のような態様でソレノイド２０Ｃの作動の制御を行う。
【００８３】
すなわち、コントローラＣは、通常は、景品保持具１３Ａのうち、景品Ｇを吊り下げていることによって揺動レバー１３Ａｆの突起部１３Ａｆ５が上昇位置に位置されている景品保持具１３Ａが景品搬送チェーン１３の走行に伴って移動されてきて、マイクロスイッチ２０Ｄの接触子２０Ｄａに接触すると、コントローラＣは、ソレノイド２０Ｃに作動信号を出力してこのソレノイド２０Ｃを作動させて、解除用シャフト２０Ａを突出させることにより、前述したように、景品保持具１３Ａに吊り下げられている景品Ｇを落下させてその払い出しを行う。
【００８４】
そして、例えばプレーヤが、景品払出装置の景品収納スペース内に設置された景品払出機構１０に吊り下げられている景品Ｇを見て、払出位置Ｐ１に対して先頭に位置している景品Ｇよりも何番目か後の位置に吊り下げられている景品Ｇを所望した場合に、そのプレーヤが、景品払出装置に備えられている図示しない入力装置を操作することによってその所望する景品Ｇの指定を行うと、コントローラＣは、マイクロスイッチ２０Ｄからの検出信号の入力回数によって、払出位置Ｐ１を通過する景品Ｇを吊り下げている景品保持具１３Ａの数を計数して、プレーヤが指定した景品Ｇを吊り下げている景品保持具１３Ａが払出位置Ｐ１に移動してきた時に、ソレノイド２０Ｃに作動信号を出力し、解除用シャフト２０Ａを前述したように景品保持具１３Ａの走行経路内に突出させることによって、そのプレーヤが所望する景品Ｇを景品保持具１３Ａから落下させて、払い出しを行う。
【００８５】
このとき、プレーヤが所望している景品Ｇを吊り下げている景品保持具１３Ａの前に、既に払い出しを行って景品Ｇを吊り下げていない景品保持具１３Ａがあっても、その景品保持具１３Ａの揺動レバー１３Ａｆの突起部１３Ａｆ５とマイクロスイッチ２０Ｄの接触子２０Ｄａとは接触しないので、その景品Ｇを吊り下げていない景品保持具１３ＡがコントローラＣによって計数されることはなく、確実に、プレーヤが所望する景品Ｇの払い出しを行うことが出来る。
【００８６】
以上のように、上記の物品払出機構１０によれば、解除機構２０が、任意に景品保持具１３Ａの走行経路内に突出して景品保持具１３Ａのフック１３Ａｃと係合することにより、景品Ｇの吊り下げ状態を解除するようになっているので、プレーヤは、従来のように何度も払い出し操作を繰り返すことなく、所望する景品を手に入れることが出来るようになる。
【００８７】
また、上記景品払出機構１０によれば、景品搬送チェーン１３を逆方向に走行させる必要がある場合でも、解除用シャフト２０Ａを景品保持具１３Ａの走行経路内から後退させておくことによって、解除用シャフト２０Ａが景品保持具１３Ａと係合することが無いので、従来の景品払出機構では不可能であった逆方向への搬送走行も可能となる。
【００８８】
なお、上記においては、解除機構２０が、物品搬送チェーン１３を構成するようにチェーン状に連結された物品保持具１３Ａに一個ずつ景品Ｇを吊り下げる形式の景品払出機構１０に取り付けられている例について説明を行ったが、例えば、解除機構２０を、図２に示されるような景品払出機構３の係合解除用アーム３Ｅａおよび景品払出機構３Ｅｂの代わりに取り付けて、景品Ｇの払い出しが任意に行われるようにしても良い。
【００８９】
また、上記の例において、解除機構２０の解除用シャフト２０Ａの先端部を、図４の場合と同様に、吊り下げられている景品に直接係合させることによって、その景品を保持しているフックから離脱させるようにしても良い。
【００９０】
また、解除用シャフト２０Ａと接触子２０Ｄａが一体的に前後進されて、景品保持具１３Ａの走行経路内への進入とこの走行経路内からの待避が行われるようにしても良い。
【産業上の利用可能性】
【００９１】
この発明は、ゲームの景品等を払い出す景品払出装置のほか、販売用商品等の様々な物品の払い出しを行う装置に利用が可能である。
【図面の簡単な説明】
【００９２】
【図１】物品払出機構が取り付けられる従来の払出装置の一例を示す斜視図である。
【図２】従来の物品払出機構を示す平面図である。
【図３】同従来例の側面図である。
【図４】同従来例において景品の保持が解除される状態を示す状態説明図である。
【図５】この発明による物品払出機構の実施例を示す平面図である。
【図６】同物品払出機構の側面図である。
【図７】同物品払出機構の正面図である。
【図８】同物品払出機構の物品搬送チェーンを構成する物品保持具を示す表面図である。
【図９】同物品保持具の裏面図である。
【図１０】同物品保持具の正面図である。
【図１１】同物品払出機構の解除機構を示す背面図である。
【図１２】同解除機構の作動状態を示す説明図である。
【図１３】同物品払出機構の物品保持具に物品を保持させる時の状態を示す状態説明図である。
【図１４】同物品保持具に物品が保持されている時の状態を示す状態説明図である。
【図１５】同物品保持具の物品の保持を解除した時の状態を示す状態説明図である。
【符号の説明】
【００９３】
１０        …物品払出機構
１１        …駆動プーリ（駆動プーリ部材）
１２        …従動プーリ（従動プーリ部材）
１３        …物品搬送チェーン
１３Ａ      …物品保持具
１３Ａａ    …本体（保持具本体）
１３Ａｃ    …フック（フック部材）
１３Ａｃ２  …フック部
１３Ａｃ３  …レバー部
１３Ａｆ    …揺動レバー
１３Ａｆ３  …バー
１３Ａｆ４  …翼部分（先端部）
１３Ａｆ５  …突起部（保持部材の物品を保持している部分）
２０        …解除機構
２０Ａ      …解除用シャフト（係合部材，シャフト部材）
２０Ｂ      …リンク
２０Ｃ      …ソレノイド（作動部材）
２０Ｄ      …マイクロスイッチ（検出部材）
２０Ｄａ    …接触子
Ｇ１        …物品
Ｇ１ａ      …吊下用係合部
Ｇ１ａ１    …吊下用穴
【図１】
2005160760.tif 000003
【図２】
2005160760.tif 000004
【図３】
2005160760.tif 000005
【図４】
2005160760.tif 000006
【図５】
2005160760.tif 000007
【図６】
2005160760.tif 000008
【図７】
2005160760.tif 000009
【図８】
2005160760.tif 000010
【図９】
2005160760.tif 000011
【図１０】
2005160760.tif 000012
【図１１】
2005160760.tif 000013
【図１２】
2005160760.tif 000014
【図１３】
2005160760.tif 000015
【図１４】
2005160760.tif 000016
【図１５】
2005160760.tif 000017